(57)【特許請求の範囲】
【請求項１】
第１ケースと第２ケースとを重ね合わせ、これら両ケースの内部に遊技の制御を行う制御基板を収納することが可能であると共に、前記第１ケースに設けられた第１シール装着部と前記第２ケースに設けられた第２シール装着部とに跨がって識別情報が記憶されたＩＣタグ付きの封印シールを貼着可能となっている遊技機の基板ケースであって、
前記封印シールが貼着された前記第１シール装着部と前記第２シール装着部とを覆うシールカバーと、前記シールカバーの近傍に設けられ、前記第１ケースと前記第２ケースとをカシメ固定して、前記遊技機の基板ケースを封印するためのカシメ固定手段と、を備え、
前記シールカバーは、
前記カシメ固定手段と係合し、当該カシメ固定手段を介して前記シールカバーを前記第１ケース及び前記第２ケースに固定するための係合部と、前記シールカバーと前記係合部とを繋ぐための部位であって、前記係合部より細く形成された首部と、を有して構成され、
前記首部を切断し、かつ、前記カシメ固定手段を破壊して、前記遊技機の基板ケースの開封を行う構成とした遊技機の基板ケース。
【請求項２】
請求項１の記載において、
前記遊技機の基板ケースは、前記第１ケースと前記第２ケースとをスライドして重ね合わせることにより構成される箱状体を成し、
前記シールカバー及び前記カシメ固定手段は、前記箱状体の任意の一面に設けられることを特徴とする遊技機の基板ケース。
【請求項３】
請求項１または２の記載において、
前記シールカバーの一端を回動可能に係止する支持部と、前記封印シールを切断するためのカッター部材と、を備え、
前記シールカバーは、その一端に前記支持部に回動可能に係止される軸支部と、その他端に前記カシメ固定手段と係合する前記係合部とを有し、
前記カッター部材は、中央の鋭利部を挟んだ長手方向の一端に、前記支持部に回動可能に係止される回動係止部と、その他端に、前記シールカバーの前記遊技機の基板ケースへの装着時において前記シールカバーの内壁面に係合する引き起こし部と、を有して、前記第１シール装着部と前記第２シール装着部との間に形成された間隙に配置されるものであり、
前記シールカバーを前記遊技機の基板ケースから取り外すために前記シールカバーを回動させると、その回動動作に伴って前記カッター部材の引き起こし部が引き起こされ、前記カッター部材が前記回動係止部を回転中心として回動することにより、前記第１シール装着部と前記第２シール装着部とに跨って貼着されていた前記封印シールが前記鋭利部により破断されるようにしたことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材を用いて封印されており、この封印部材の一部を破壊しない限り封印状態を解除できないようになっている。
【０００３】
また、近年では、識別情報が格納されたＩＣタグが付いた封印シール（ＩＣタグ封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開放し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明は、第１ケースと第２ケースとを重ね合わせ、これら両ケースの内部に遊技の制御を行う制御基板を収納することが可能であると共に、前記第１ケースに設けられた第１シール装着部と前記第２ケースに設けられた第２シール装着部とに跨がって識別情報が記憶されたＩＣタグ付きの封印シールを貼着可能となっている遊技機の基板ケースであって、前記封印シールが貼着された前記第１シール装着部と前記第２シール装着部とを覆うシールカバーと、前記シールカバーの近傍に設けられ、前記第１ケースと前記第２ケースとをカシメ固定して、前記遊技機の基板ケースを封印するためのカシメ固定手段と、を備え、前記シールカバーは、前記カシメ固定手段と係合し、当該カシメ固定手段を介して前記シールカバーを前記第１ケース及び前記第２ケースに固定するための係合部と、前記シールカバーと前記係合部とを繋ぐための部位であって、前記係合部より細く形成された首部と、を有して構成され、前記首部を切断し、かつ、前記カシメ固定手段を破壊して、前記遊技機の基板ケースの開封を行う構成としたことを特徴としている。
【０００８】
本発明によれば、シールカバーにカシメ固定手段と係合する係合部を設けたので、第１ケースと第２ケースとをカシメ固定する作業と、封印シールが貼着されたシール装着部（前記第１シール装着部および前記第２シール装着部）にシールカバーを装着する作業とを併せて行うことができ、作業の簡略化が行える。
しかも、シールカバーの装着のための手段と、第１ケースと第２ケースとをカシメ固定する手段が共有されているので、基板ケースを封印するための構造を簡単にすることができる。
【０００９】
また、本発明は、前記遊技機の基板ケースは、前記第１ケースと前記第２ケースとをスライドして重ね合わせることにより構成される箱状体を成し、前記シールカバー及び前記カシメ固定手段は、前記箱状体の任意の一面に設けられることを特徴としている。
【００１０】
また、本発明は、前記シールカバーの一端を回動可能に係止する支持部と、前記封印シールを切断するためのカッター部材と、を備え、前記シールカバーは、その一端に前記支持部に回動可能に係止される軸支部と、その他端に前記カシメ固定手段と係合する前記係合部とを有し、前記カッター部材は、中央の鋭利部を挟んだ長手方向の一端に、前記支持部に回動可能に係止される回動係止部と、その他端に、前記シールカバーの前記遊技機の基板ケースへの装着時において前記シールカバーの内壁面に係合する引き起こし部と、を有して、前記第１シール装着部と前記第２シール装着部との間に形成された間隙に配置されるものであり、前記シールカバーを前記遊技機の基板ケースから取り外すために前記シールカバーを回動させると、その回動動作に伴って前記カッター部材の引き起こし部が引き起こされ、前記カッター部材が前記回動係止部を回転中心として回動することにより、前記第１シール装着部と前記第２シール装着部とに跨って貼着されていた前記封印シールが前記鋭利部により破断されるようにしたことを特徴としている。
【００１１】
この構成によれば、シールカバーの基板ケースへの装着にあたり、シールカバーの軸支部を基板ケースの支持部に回動可能に係止させ、次いで、シールカバーを回動させてその係合部を基板ケースのカシメ固定手段に係合させる、という一連の作業により装着することができるので、その作業を簡便かつ容易に行うことができる。
【００１２】
また、本構成によれば、シールカバーを外す動作により、シールカバーの内壁面にカッター部材の引き起こし部が係合してカッター部材が引き起こされるので、封印シールは、その引き起こされたカッター部材の鋭利部により破断されることとなる。したがって、シールカバーを外す動作によって封印シールが必ず破断されるので、基板ケースが開封されたことを目視とリーダー機により確実に発見することができ、また封印シールの再使用を事前に防止することもできる。
【００１３】
このように、本発明によれば、開封したことを確実に発見できる遊技機の基板ケースを提供することができる。
【図面の簡単な説明】
【００１４】
【図１】本発明の実施形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の第１の実施形態例に係る基板ケースの外観斜視図である。
【図５】図４に示す基板ケースのシール装着部側におけるシールカバー取付前の斜視図である。
【図６】図５に示すシールカバーの開口面を上にした状態での斜視図である。
【図７】図４に示す基板ケースへのシールカバーの取り付け作業を説明するための正面図である。
【図８】図４に示す基板ケースのシールカバーを取り付けた状態での正面図である。
【図９】本発明の第２の実施形態例に係る基板ケースのシール装着部側における分解斜視図である。
【図１０】図９に示す基板ケースでのシールカバー取付作業を説明するための斜視図である。
【図１１】図９に示す基板ケースでのシールカバーが取り付けられた状態での正面図である。
【図１２】図１１に示す基板ケースでのシールカバーを紙面に平行に切断して内部を可視化した状態での正面図である。
【図１３】図９に示す基板ケースでのシールカバーを取り外す作業を説明するための正面図である。
【図１４】図１３に示す基板ケースでのシールカバーを取り外す作業を説明するための、シールカバーを紙面に平行に切断して内部を可視化した状態での正面図である。
【図１５】図１０におけるシールカバー取付状態での支持部を拡大して説明した斜視図である。
【図１６】図１２におけるシールカバーとカッター部材との係合部を拡大して説明した説明図である。
【図１７】図９に示すシールカバーの開口面を上にした状態での斜視図である。
【図１８】図９に示すカッター部材を拡大した斜視図である。
【発明を実施するための形態】
【００１５】
発明の第１の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１６】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１７】
図３に示すように、このパチンコ機Ｐの背面側には、主制御処理部１１、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１８】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１１５と、このメイン基板１１５を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００１９】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２０】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２１】
次に、前述した基板ケース１００の詳細な構造について図４〜図８を参照しながら説明する。
本第１の実施形態例に係る基板ケース（遊技機の基板ケース）１００は、矩形箱状の透明な上ケース（第１ケース）１０１と、矩形箱状の透明な下ケース（第２ケース）１０２と、シールカバー１０３とを備えている。
そして、上ケース１０１と下ケース１０２の内部に収納空間が形成されており、この収納空間にＲＡＭ等が実装された前述のメイン基板１１５が収納されている。
【００２２】
上ケース１０１と下ケース１０２はスライド嵌合によって重ね合わされるようになっており、上ケース１０１には上側シール装着部（第１シール装着部）１０５が形成され、下ケース１０２には下側シール装着部（第２シール装着部）１０６が形成されている。
図５に示すように、上側シール装着部１０５と下側シール装着部１０６を重ね合わせた後、封印シール１０８がこれら両シール装着部１０５，１０６に跨がって貼り付けられるようになっている。
【００２３】
この封印シール１０８は裏面に粘着層が形成された矩形状のベースシートを備えた公知のものであり、粘着層にはＩＣタグが埋め込まれ、このＩＣタグには、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。
【００２４】
上側シール装着部１０５は上ケース１０１の短辺部から外方へ突出するプレート状の構造体であり、その表面には、封印シール１０８の厚さと略同一の高さだけ一段低くした段差１０５ａが形成されている。一方、下側シール装着部１０６にも、同様に、封印シール１０８の厚さと略同一の高さだけ一段低くした段差１０６ａ（図示せず）が形成されている。したがって、この段差１０５ａ、１０６ａで囲まれた部分に封印シール１０８を貼り付けても、封印シール１０８がシール装着部から盛り上がったりすることはない。
さらに、図５に示すように、これら両シール装着部１０５，１０６を重ね合わせて皿ネジ（ネジ）１３０で両者を一体的に固定した後、封印シール１０８が両シール装着部１０５，１０６に跨がって貼り付けられるようになっている。
【００２５】
また、上ケース１０１と下ケース１０２とをカシメ固定するためのカシメ固定手段１２０が、上ケース１０１および下ケースの短辺部であって、しかも上側シール装着部１０５および下側シール装着部１０６が設けられているのと同じ短辺部に設けられている。
このカシメ固定手段１２０は、上ケース１０１に設けられた上カシメ部１２１と、下ケース１０２に設けられた下カシメ部１２２とからなっており、この上カシメ部１２１と下カシメ部１２２とを、一方向ネジなどの不可逆固定手段で固定することで、上ケース１０１と下ケース１０２とのカシメ固定が行われるように構成されている。
さらに、上ケース１０１と下ケース１０２には、シールカバー１０３の軸支部１０３ｂを陥入させて回動可能に係止するシールカバー支持部１０１ｂ、１０２ｂが、両シール装着部１０５，１０６が設けられている同じ短辺部であって、シール装着部１０５、１０６を挟んでカシメ固定手段１２０とは反対側に、それぞれ設けられている。
このシールカバー支持部１０１ｂ、１０２ｂは、図４に示すように、両シールカバー支持部１０１ｂ、１０２ｂが互いに対向する面と、両シール装着部１０５，１０６と対向する面とが開放されており、ケース１０１、１０２の側面に平行な切断面が、略Ｌ字状（１０１ｂの場合）あるいは略逆Ｌ字状（１０２ｂの場合）となる袋状とされている。
【００２６】
このカシメ固定の構成について、図５ないし８を用いて、詳細に説明する。
上カシメ部１２１には、２つのカシメネジ収納部（第１カシメネジ収納部１２１ａおよび第２カシメネジ収納部１２１ｂ）が連設されており、それぞれに一方向ネジ（図示しない）が収納されている。
また、この第１カシメネジ収納部１２１ａおよび第２カシメネジ収納部１２１ｂは、その頂部が、上ケース１０１から立設されたネジ収納部保持部１２１ｃによって該上ケース１０１に一体的に保持されているが、その脚部（第１カシメネジ収納部１２１ａの第１脚部１２１ｄ、および第２カシメネジ収納部１２１ｂの第２脚部１２１ｄ’）は、第１脚部１２１ｄが下カシメ部１２２との間に所定の間隙（係合部用間隙）ＣＬを形成しているのに対し、第２脚部１２１ｄ’は、そのような間隙ＣＬを形成することなく下カシメ部１２２と接するように構成されている。
【００２７】
下カシメ部１２２にも、上記したカシメネジ収納部１２１ａ、１２１ｂにそれぞれ相対するように、２つのカシメネジ固定部（第１カシメネジ固定部１２２ａおよび第２カシメネジ固定部１２２ｂ）が一体的に連設されている。このカシメネジ固定部１２２ａ、１２２ｂには、カシメネジ収納部１２１ａ、１２１ｂに収納の一方向ネジに嵌合するねじ山が切られている。また、カシメネジ収納部１２１ａ、１２１ｂに予め収納されている一方向ネジは、そのネジ頭部分が収納部内に封入されているのに対し、そのネジ先部分はカシメネジ固定部１２２ａ、１２２ｂへねじ込むことができるように該収納部から突き出し可能とされている。
したがって、その一方向ネジのネジ先部分を、ドライバーなどを用いてカシメネジ固定部１２２ａまたは１２２ｂへねじ込むことにより、上ケース１０１と下ケース１０２とのカシメ固定を行うことができる。
さらに、このカシメ固定手段１２０には、その側面に両シール装着部１０５、１０６の方へ突出するようにカシメ固定手段側係合突起１２０ｄが設けられているが、該カシメ固定手段側係合突起１２０ｄは、後述するように、シールカバー１０３の外側面に設けられているシールカバー側係合突起１０３ｄと係合することでシールカバー１０３を両シール装着部１０５、１０６に被せた状態に仮固定するものである。
【００２８】
シールカバー１０３は、透明な樹脂成型品であり、図５および６に示すように、封印シール１０８が貼着された両シール装着部１０５、１０６を挿入するために一方向が開口した略箱形状を成している。したがって、その長手方向に直交する方向に切断した切断面の形状が略コ字状となっている。
また、シールカバー１０３の長手方向の一端には、上ケース１０１と下ケース１０２に設けられたシールカバー支持部１０１ｂ、１０２ｂに係止されることで回動支点となる軸支部１０３ｂが設けられ、その長手方向の他端には、カシメ固定手段１２０と係合するための係合部１０３ａが設けられている。
この軸支部１０３ｂは、長手方向に突出した軸支部本体１０３ｂ’と、その軸支部本体１０３ｂ’の先端に、長手方向と直交するように延在する円柱状の軸支部軸部材１０３ｂ’’を有している。この軸支部軸部材１０３ｂ’’が、上ケース１０１と下ケース１０２に設けられたシールカバー支持部１０１ｂ、１０２ｂに陥入されて回動自在に係止されることにより、両シール装着部１０５、１０６に対してシールカバー１０３を覆ったり取り外したりする際の回動支点として機能する。
【００２９】
また、係合部１０３ａには、第１カシメネジ収納部１２１ａに収納された一方向ネジを陥入する係合穴１０３ａ’が設けられているとともに、その係合部１０３ａの厚みは、第１カシメネジ収納部１２１ａの脚部１２１ｄと下カシメ部１２２との間に設けられた係合部用間隙ＣＬに挿入可能な厚みとされている。
さらに、このシールカバー１０３には、係合部１０３が形成された方の端部に、シールカバー１０３がシール装着部１０５、１０６を完全に覆う状態において、カシメ固定手段１２０に設けられたカシメ固定手段側係合突起１２０ｄに乗り越えて係合するシールカバー側係合突起１０３ｄが設けられている。上記したように、これらカシメ固定手段側係合突起１２０ｄとシールカバー側係合突起１０３ｄとが係合することにより、シールカバー１０３が両シール装着部１０５、１０６を完全に覆うように仮止めされる。
【００３０】
つまり、本第１の実施形態例では、上ケース１０１および下ケースの同じ側の短辺部に、上側シール装着部１０５と下側シール装着部１０６が設けられ、その同じ短辺部に、上側シール装着部１０５と下側シール装着部１０６を挟んで、シールカバー１０３の軸支部１０３ｂを支持するシールカバー支持部１０１ｂ、１０２ｂと、カシメ固定手段１２０の上カシメ部１２１、下カシメ部１２２とが設けられている。
そして、それらは、両シール装着部１０５、１０６がシールカバー１０３に完全に覆われた状態において、シールカバー支持部１０１ｂ、１０２ｂがシールカバー１０３の軸支部を係止し、第１カシメネジ収納部１２１ａに収納された一方向ネジがシールカバー１０３の係合穴１０３ａ’に陥入できる位置にあるように構成されている。
【００３１】
次に、このように構成された基板ケース１００にメイン基板１１５を収納して封印するまでの手順について、図５〜図８を参照しながら説明する。
まず、メイン基板１１５を上ケース１０１の内部にネジ止め固定した後、下ケース１０２を長手方向にスライドさせて、下ケース１０２を上ケース１０１に重ね合わせ、上ケース１０１と下ケース１０２との締結部（図示せず）を適宜固定すると共に、皿ネジ１３０を用いて上側シール装着部１０５と下側シール装着部１０６とを固定する。次に、封印シール１０８のベースシートを剥がして、それを上側シール装着部１０５と下側シール装着部１０６との段差部１０５ａ、１０６ａに跨るように貼着する（図５）。
【００３２】
次に、シールカバー１０３の軸支部１０３ｂの軸支部軸部材１０３ｂ’’を上ケース１０１および下ケース１０２のシールカバー支持部１０１ｂ、１０２ｂに嵌め込み、シールカバー１０３がその軸支部軸部材１０３ｂ’’を回動中心として回動可能な状態とする（図７）。
【００３３】
次に、シールカバー１０３を、両シール装着部１０５、１０６の全体を覆う方向に回動させると、シールカバー１０３の係合部１０３ａが、第１カシメネジ収納部１２１ａの脚部１２１ｄと下カシメ部１２２との間の所定の係合部用間隙ＣＬに嵌り込み、さらに、シールカバー１０３の係合突起１０３ｄがカシメ固定手段１２０の係合突起１２０ｄに一旦当接する状態となる。この状態から、さらに、それら係合突起１０３ｄ、１２０ｄが互いを乗り越えるように回動させると、シールカバー１０３の係合突起１０３ｄがカシメ固定手段１２０の係合突起１２０ｄを乗り越えて係合した状態、つまりシールカバー１０３が仮止めされた状態となる（図８）。
この状態では、図８に示すように、シールカバー１０３が両シール装着部１０５、１０６を完全に覆い、また、第１カシメネジ収納部１２１ａ内の一方向ネジがシールカバー１０３の係合穴１０３ａ’に挿入可能な位置となっている。
【００３４】
次に、第１カシメネジ収納部１２１ａ内に収納されている一方向ネジを、適当な治具によりねじ込んでいくと、そのネジ先は、シールカバー１０３の係合穴１０３ａ’を貫通しつつカシメネジ固定部１２２ａにねじ込まれていき、上ケース１０１と下ケース１０２とのカシメ固定が行われるとともに、シールカバー１０３の係合（カシメ固定）も行われる。
これにより、基板ケース１００の封印が完了する。
この状態では、封印シール１０８は、シールカバー１０３により全体的に覆われているため、封印シール１０８を剥がすことはできない。
このように封印が完了した状態の基板ケース１００に対して、リーダー機を上シールカバー１０３または下シールカバー１０４に近付けることにより、封印シール１０８のＩＣタグ１０８ａに記憶されている識別情報をリーダー機で読取ることができる。
【００３５】
メイン基板１１５を取り出すためには、シールカバー１０３を取り外し、上ケース１０１と下ケース１０２とのカシメ固定を解除する必要がある。
シールカバー１０３を取り外すには、第１カシメネジ収納部１２１ａに収納しているカシメネジを外す必要があるが、このネジは一方向ネジであることから、単にカシメ方向（ねじ込み方向）とは逆に回してもネジは外れない。
したがって、シールカバー１０３の係合部１０３ａとシールカバー１０３とを繋いでいる係合部首部１０３ｃを、ニッパーなどの治具を用いて切断することで、シールカバー１０３を取り外す。
次に両シール装着部１０５、１０６を連結している皿ネジ１３０をドライバーなどで取り外し、上側シール装着部１０５と下側シール装着部１０６との分離を可能とする。
次に、第１カシメネジ収納部１２１ａを、ニッパーなどの治具を用いて切り離す。
次に、両シール装着部１０５、１０６に跨って貼着されていた封印シール１０８を、上側シール装着部１０５と下側シール装着部１０６との境目で、カッターなどの治具により切断する。
ここまでの作業により、上ケース１０１と下ケース１０２とを結合しているものは全て取り外されているので、後は、上ケース１０１と下ケース１０２とをスライドさせることで基板ケース１００を開放することができる。
【００３６】
なお、このように取り出したメイン基板１１５を点検後、取り出された基板ケース１００を再使用する際には、第２カシメネジ収納部１２１ｂ内に収納している一方向ネジを用いて、上ケース１０１と下ケース１０２とを再度結合することで、再使用（再封印）が可能である。
このように再使用された場合には、基板ケース１００が開放されたか否かは、第２カシメネジ収納部１２１ｂの切り離しの有無によって判断可能となる。
【００３７】
以上説明したように、本第１の実施形態例に係る基板ケース１００では、上ケース１０１の上側シール装着部１０５と下ケース１０２の下側シール装着部１０６とを重ね合わせてネジ止めし、その状態で、両シール装着部１０５，１０６に跨がるように封印シール１０８を貼着した後、両シール装着部１０５、１０６に対してシールカバー１０３を被せ、そのシールカバー１０３を、上ケース１０１と下ケースとをカシメ固定する作業と同時に固定することができる。したがって、シールカバー１０３はカシメ固定手段に強固に固定されるので、シールカバー１０３を取り外すことは困難である。また、封印シール１０８は、シールカバー１０３によって全体的に覆われるため、封印シール１０８を剥がすことも困難となる。さらに、シールカバー１０３の封印作業がカシメ固定作業と同時に行われるため、作業が簡便になり、かつ、そのための構造も簡素化することができる。
【００３８】
次に、本第２の実施の形態例について、図９〜図１８を用いて説明する。
この第２の実施の形態例は、シールカバー１０３の取り外し作業に伴って、封印シール１０８の裁断が自動的に行われるようにしたものであり、基板ケース１００自体の全体構成とカシメ固定部の構成については前記した第１の実施形態例と同様となっている。
この第２の実施の形態例では、図９に示すように、上側シール装着部１０５と下側シール装着部１０６との間にカッター部材用空隙Ｐが設けられており、該カッター部材用空隙Ｐ内に、封印シール１０８を裁断するためのカッター部材１４０が配置される。
【００３９】
カッター部材１４０は、図１８に示すように、所定の弾性復元力を有する樹脂成型品として略平板状に形成された長尺体であって、その長尺体の一方の長辺には、封印シールを裁断することができる鋭利部（鋭利刃）１４０ｃが形成されている。
また、その略平板部分は、前記カッター部材用空隙Ｐ内で摺動自在な厚みに形成され、その長辺に垂直な幅は、両シール装着部１０５，１０６の基板ケース本体からの突出幅よりも小さく形成されている。また、その長手方向の一端には、シールカバー１０３の軸支部軸部材１０３ｂ’’に当接して回動支点となる一対のカッター部材脚部１４０ｂが形成されており、その他端には、引き起こし部１４０ａが形成されている。
この引き起こし部１４０ａは、鋭利刃１４０ｃが形成された側から鋭利刃１４０ｃが形成されていない側へ、略平板の長手方向外方へ斜めに突出する小片であって、長手方向への押圧に対し復元力を有するように構成されており、両シール装着部１０５、１０６へのシールカバー１０３の装着時において、シールカバー１０３の内壁面に設けられた引き起こし突起１０３ｅと係合するように構成されている。
また、一対のカッター部材脚部１４０ｂは、略平板部分のそれぞれの側面端部から長手方向に延長した足部１４０ｂ’と、その足部１４０ｂ’の先端に形成され、長手方向外方に一部が開放された軸受け部１４０ｂ’’とから構成されており、その一対のカッター部材脚部１４０ｂが成す間隔は、その間隔内にシールカバー１０３の軸支部本体１０３ｂ’が嵌り込むことができる間隔とされている。さらに、該受け部１４０ｂ’’は、鋭利刃１４０ｃが形成された側の軸受け部分が、他方の側の軸受け部分よりも長くなるように形成されている。
したがって、図１５に示すように、シールカバー１０３の軸支部軸部材１０３ｂ’’を上ケース１０１および下ケース１０２のシールカバー支持部１０１ｂ、１０２ｂに陥入させた状態において、カッター部材１４０の一対の軸受け部１４０ｂ’’の先端部を、軸支部本体１０３ｂ’に跨がせて、シールカバー支持部１０１ｂ、１０２ｂとシールカバー１０３とにより形成された間隙に挿入し、次に、シールカバー１０３を、図１５に示す開放状態からシール装着部１０５、１０６を覆う状態へと回動させると、該カッター部材１４０の軸受け部１４０ｂ’’は、シールカバー１０３とシールカバー支持部１０１ｂ、１０２ｂとの間隙に挟まれたまま、軸受け部１４０ｂ’’を回転軸として回動することとなる。
【００４０】
一方、シールカバー１０３には、図１６、１７に示すように、係合部１０３ａを有する方の端部に、第１の実施態様例と同様に係合突起１０３ｄが設けられているが、この第２の実施態様例においては、シールカバー１０３の内側に、この係合突起１０３ｄと相対するように引き起こし突起１０３ｅが設けられている。  
【００４１】
次に、このように構成された基板ケース１００にメイン基板１１５を収納して封印するまでの手順について、図９〜図１５を参照しながら説明する。
両シール装着部１０５、１０６への各部材の取付は、図９に示すように、先ずシールカバー１０３、次にカッター部材１４０、最後に封印シールという順序で行う。
【００４２】
まず、図１５に示すように、シールカバー１０３の開口部を上にしてその軸支部１０３ｂの軸支部軸部材１０３ｂ’’を上ケース１０１および下ケース１０２のシールカバー支持部１０１ｂ、１０２ｂに嵌め込み、シールカバー１０３が軸支部軸部材１０３ｂ’’を回動中心として回動可能な状態とする。この作業により、上ケースシールカバー支持部１０１ｂと下ケースシールカバー支持部１０２ｂとの間に軸支部軸部材１０３ｂ’’による回転軸が形成されることとなる。
次に、カッター部材１４０を、鋭利刃１４０ｃが形成された側を手前にして、上記の作業で形成された回転軸（つまり、シールカバー１０３の軸支部軸部材１０３ｂ’’）にその軸受け部１４０ｂ’’を当接しつつ、両シール装着部１０５、１０６のカッター部材用間隙Ｐ内へ挿入する。
【００４３】
次に、両シール装着部１０５、１０６に封印シール１０８を貼着する（図１０）。
次に、シールカバー１０３を、前記軸支部軸部材１０３ｂ’’を回動中心として、両シール装着部を覆うように回動させていく。
シールカバー１０３が両シール装着部１０５、１０６を覆っていくと、図１６に示すように、シールカバー１０３の外側に設けられた係合突起１０３ｄが、カシメ固定手段１２０の係合突起１２０ｄを乗り越え、同時に、シールカバーの内側に設けられた引き起こし突起１０３ｅがカッター部材１４０の引き起こし部１４０ａを乗り越え、シールカバー１０３が両シール装着部１０５、１０６を完全に覆う状態となる（図１１、１２）。
この状態は、第１カシメネジ収納部１２１ａ内の一方向ネジがシールカバー１０３の係合穴１０３ａ’に挿入可能な位置となっており、またシールカバー１０３が上ケース１０１と下ケース１０２に仮固定され、しかも、カッター部材１４０の引き起こし部１４０ａがシールカバー１０３の引き起こし突起１０３ｅに引っかかった状態となっている。
【００４４】
次に、第１カシメネジ収納部１２１ａ内に収納されている一方向ネジを、適当な治具によりねじ込んでいくと、そのネジ先は、シールカバー１０３の係合穴１０３ａ’を貫通しつつカシメネジ固定部１２２ａにねじ込まれていき、上ケース１０１と下ケース１０２とのカシメ固定が行われるとともに、シールカバー１０３の係合（カシメ固定）も行われる。
これにより、基板ケース１００の封印が完了する。
【００４５】
メイン基板１１５を取り出すためには、シールカバー１０３を取り外し、上ケース１０１と下ケース１０２とのカシメ固定を解除する必要がある。
シールカバー１０３を取り外すには、第１カシメネジ収納部１２１ａに収納しているカシメネジを外す必要があるが、このネジは一方向ネジであることから、単にカシメ方向（ねじ込み方向）とは逆に回してもネジは外れない。
したがって、シールカバー１０３を取り外すには、先ず、シールカバー１０３の係合部１０３ａとシールカバー１０３とを繋いでいる係合部首部１０３ｃを、ニッパーなどの治具を用いて切断する。
次に、シールカバー１０３を取り外すべく軸支部軸部材１０３ｂ’’を回動中心として回動させると、図１３、１４に示すように、その回動動作に伴ってカッター部材１４０の引き起こし部１４０ａが、シールカバー１０３の引き起こし突起１０３ｅに引っかけられて引き起こされ、カッター部材１４０がシールカバー１０３と共に回動することにより、第１シール装着部１０５と第２シール装着部１０６とに跨って貼着されていた封印シール１０８がカッター部材１４０の鋭利部１４０ｃにより破断される。
【００４６】
次に、第１カシメネジ収納部１２１ａを、ニッパーなどの治具を用いて切り離す。
ここまでの作業により、上ケース１０１と下ケース１０２とを結合しているものは全て取り外されているので、後は、上ケース１０１と下ケース１０２とをスライドさせることで基板ケース１００を開放することができる。
【００４７】
このように、基板ケース１００の封印を解除するには、第１カシメネジ収納部１２１ａを切り離さなければならないため、その痕跡を見れば、確実に、基板ケース１００の封印が解除されたことを発見することができる。また、基板ケース１００の封印を解除するには、シールカバー１０３外す必要があるが、シールカバー１０３を外す過程でＩＣタグ１０８ａが破壊される。よって、リーダー機を近付けても、ＩＣタグ１０８ａに記憶されている識別情報を読取ることができなくなり、それによって不正行為がなされたことを確実に発見することができる。
【００４８】
つまり、不正に基板ケース１００を開封して、メイン基板１１５のＲＯＭ等を交換した場合には、必ず切断された痕跡が残るうえ、封印シール１０８が破れてＩＣタグ１０８ａが破壊する。よって、本第２の実施形態例によれば、目視とリーダー機の両方により確実に基板ケース１００の封印が解除されたことを発見することができるのである。
また、カッター部材１４０を挿入してシールカバー１０３を被せ、一方向ネジをねじ込む、という単純な作業によって、カッター部材１４０の設定を行うことができ、しかもシールカバー１０３の固定およびカシメ固定とを同時に行うことができるなど、作業負担が軽減されると共に、構造自体も従来例に比べて簡便なものとすることができる。
さらに、カッター部材１４０のカッター部材用間隙Ｐ内への設置は、シールカバー１０３の軸支部軸部材１０３ｂ’’のケースシールカバー支持部１０１ｂ、１０２ｂへの陥入により形成された回転軸をカッター部材１４０の回転軸として共用することにより、極めて簡単に行うことができる。
【００４９】
また、上記の実施形態例では、上ケース１０１と下ケース１０２はスライド嵌合により重なり合う構成としたが、この構成に代えて、上ケース１０１と下ケース１０２を、ヒンジを介して開閉可能とする構成とすることもできる。
【００５０】
また、上記の実施形態例では、メイン基板１０４を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
もちろん、パチスロ機に用いることも可能である。
【符号の説明】
【００５１】
１００  基板ケース
１０１  上ケース（第１ケース）
１０１ｂ  シールカバー支持部（上ケース側シールカバー支持部）
１０２  下ケース（第２ケース）
１０２ｂ  シールカバー支持部（下ケース側シールカバー支持部）
１０３  シールカバー
１０３ａ  係合部
１０３ａ’係合穴
１０３ｂ  軸支部
１０３ｂ’  軸支部本体
１０３ｂ’’ 軸支部軸部材
１０３ｃ  係合部首部
１０３ｄ  係合突起（シールカバー側係合突起）
１０３ｅ  引き起こし突起  
１０５  上側シール装着部（第１シール装着部）
１０６  下側シール装着部（第２シール装着部）
１０８  封印シール
１２０  カシメ固定手段
１２０ｄ  係合突起（カシメ固定手段側係合突起）
１２１  上カシメ部
１２１ａ  第１カシメネジ収納部
１２１ｂ  第２カシメネジ収納部
１２１ｃ  ネジ収納部保持部
１２１ｄ  第１脚部
１２１ｄ’第２脚部
１２２  下カシメ部
１２２ａ  カシメネジ固定部（第１カシメネジ固定部）
１２２ｂ  カシメネジ固定部（第２カシメネジ固定部）
１４０  カッター部材
１４０ａ  引き起こし部
１４０ｂ  カッター部材脚部
１４０ｂ’’  軸受け部
１４０ｃ    鋭利部
ＣＬ  係合部用間隙
Ｐ  カッター部材用間隙
【図１】
0005829818.tif 000002
【図２】
0005829818.tif 000003
【図４】
0005829818.tif 000004
【図５】
0005829818.tif 000005
【図６】
0005829818.tif 000006
【図７】
0005829818.tif 000007
【図８】
0005829818.tif 000008
【図９】
0005829818.tif 000009
【図１０】
0005829818.tif 000010
【図１１】
0005829818.tif 000011
【図１２】
0005829818.tif 000012
【図１３】
0005829818.tif 000013
【図１４】
0005829818.tif 000014
【図１５】
0005829818.tif 000015
【図１６】
0005829818.tif 000016
【図１７】
0005829818.tif 000017
【図１８】
0005829818.tif 000018
【図３】
0005829818.tif 000019